(57)【特許請求の範囲】
【請求項１】
印字テープと剥離テープとを積層して成る印刷用テープにおける前記印字テープに印字する印字部と、前記印字部から送られてくる前記印刷用テープを切断する切断部とを備え、前記切断部を、前記印刷用テープにおける前記印字テープのみを切断する部分カット機構を備えて構成し、前記印字部に印字データを出力するデータ指令手段と、このデータ指令手段による印字データの区切れ箇所をタブコードまたはスペースコードの検出によって検出する区切れ検出手段とを備え、前記区切れ箇所の検出に基づいて前記印字テープのみを切断する部分カット位置を自動設定する第１制御手段を備えてあるテーププリンタ。
【請求項２】
印字テープと剥離テープとを積層して成る印刷用テープにおける前記印字テープに印字する印字部と、前記印字部から送られてくる前記印刷用テープを切断する切断部とを備え、前記切断部を、前記印刷用テープにおける前記印字テープのみを切断する部分カット機構を備えて構成し、前記印字部に印字データを出力するデータ指令手段と、このデータ指令手段による印字データの区切れ箇所を印字データのない空白部分の検出によって検出する区切れ検出手段とを備え、前記区切れ箇所の検出に基づいて前記印字テープのみを切断する部分カット位置を自動設定する第１制御手段を備えてあるテーププリンタ。
【請求項３】
所定法則に従って変更されるナンバリングデータを前記印字部の印字に先立って発生させて記憶するナンバリング発生・記憶手段と、前記印字データと前記ナンバリング発生・記憶手段に記憶されているナンバリングデータとを順次合成し、この合成したデータに基づいて前記区切れ箇所によって区切られたブロック毎に印字を繰返す合成印字制御手段とを備えるとともに、前記第１制御手段で設定された部分カット位置において前記印字テープのみを切断させる第２制御手段を備えてある請求項１または２に記載のテーププリンタ。
【請求項４】
前記部分カット機構による前記印字テープのみの切断箇所を、前記ブロック内における印字部分とナンバリングデータとの間にも設定してある請求項３に記載のテーププリンタ。
【請求項５】
前記切断部に、前記印刷用テープを切断する全カット機構を備えるとともに、前記区切れ箇所においては前記印刷用テープが切断されるように設定してある請求項４に記載のテーププリンタ。
【発明の詳細な説明】
【０００１】
【発明の属する技術分野】
本発明は、印字テープと剥離テープとを積層して成る印刷用テープを用いたテーププリンタに係り、詳しくは、印字テープのみを切断する部分カット機構と、印刷用テープを完全に切断する全カット機構とを適宜に組み合わすことにより、種々の用途に応じた切断形態を現出可能とする技術に関する。
【０００２】
【従来の技術】
従来、印字テープと剥離テープとを積層して成る印刷用テープを用いたテーププリンタにおいて、剥離テープを残して印字テープのみを切断する所謂部分カットが行えるようにしたものがある（特開平６−７１９５５号公報等）。部分カットを行うことにより、印刷済の印字テープをラベル等として使用するべく剥離テープから剥がす際には、単に印刷用テープを折り曲げるように変形させるだけで部分カット部位から印字テープを容易に剥がすことができ、爪やピンセットを用いる煩わしさや印字テープ端部を損傷させる不都合を解消して、印字テープの剥がし易さを改善している。
【０００３】
【発明が解決しようとする課題】
テーププリンタでは、印字部に対するテープ送り方向の下手側に近接して切断部が配置される構造上、印字部と切断部との間隔に相当する余白が最初の印字部分に先立って形成されることになるが、部分カット機構を用いればその余白部において印字テープのみの切断箇所を形成でき、余分な余白部を予め除去する状態が現出できるようになる。
【０００４】
上述のように、切断部に部分カット機構を設けることで、従来の問題点を解消し得る利点があることに着目して、本発明では、その部分カット機構の制御、並びに全カット機構と部分カット機構との組合わせ制御を行わせることにより、印字済テープを種々の用途に適した状態に切断処理可能としたテーププリンタを得ることを目的とするものである。
【０００５】
【課題を解決するための手段】
本発明の請求項１に係るテーププリンタは、印字テープと剥離テープとを積層して成る印刷用テープにおける前記印字テープに印字する印字部と、前記印字部から送られてくる前記印刷用テープを切断する切断部とを備え、前記切断部を、前記印刷用テープにおける前記印字テープのみを切断する部分カット機構を備えて構成し、前記印字部に印字データを出力するデータ指令手段と、このデータ指令手段による印字データの区切れ箇所をタブコードまたはスペースコードの検出によって検出する区切れ検出手段とを備え、前記区切れ箇所の検出に基づいて前記印字テープのみを切断する部分カット位置を自動設定する第１制御手段を備えている。
【０００６】
印刷用テープにプリントアウトする場合、文字、図形等の印字データ（テキストデータ）は一続きの状態で印字され、次の印字データが印字れるまでの間には、余白部分や印字されない非印字部分といった区切れ個所が形成されることとなる。そこで、上記構成の請求項１に係るテーププリンタでは、その区切れ個所の検出に基づいて印字テープのみを切断する部分カット位置を自動設定するものであり、部分カットされるべき個所で部分カットすることが自動的に得られるようになる。
【０００７】
【０００８】
スペースキーやタブキーといった所定の印字データを非印字部分に区切れ個所として付与して該印字データの検出によって区切れ箇所を検出するものである。
【０００９】
本発明の請求項２に係るテーププリンタは、印字テープと剥離テープとを積層して成る印刷用テープにおける前記印字テープに印字する印字部と、前記印字部から送られてくる前記印刷用テープを切断する切断部とを備え、前記切断部を、前記印刷用テープにおける前記印字テープのみを切断する部分カット機構を備えて構成し、前記印字部に印字データを出力するデータ指令手段と、このデータ指令手段による印字データの区切れ箇所を印字データのない空白部分の検出によって検出する区切れ検出手段とを備え、前記区切れ箇所の検出に基づいて前記印字テープのみを切断する部分カット位置を自動設定する第１制御手段を備えてある。
【００１０】
請求項２に係るテーププリンタでは、印字に先立って形成される余白部分や、隣合う印字部分の間に形成される非印字部分等の印字データのない空白部分の検出よって区切れ個所検出を行うものである。
【００１１】
本発明の請求項３に係るテーププリンタは、請求項１または請求項２のものにおいて、所定法則に従って変更されるナンバリングデータを前記印字部の印字に先立って発生させて記憶するナンバリング発生・記憶手段と、前記印字データと前記ナンバリング発生・記憶手段に記憶されているナンバリングデータとを順次合成し、この合成したデータに基づいて前記区切れ箇所によって区切られたブロック毎に印字を繰返す合成印字制御手段とを備えるとともに、前記第１制御手段で設定された部分カット位置において前記印字テープのみを切断させる第２制御手段を備えている。
【００１２】
上記構成の請求項３に係るテーププリンタでは、請求項１または請求項２のものと同様の作用を奏するが、各印字部分毎に非印字部分にナンバリングが付与されることになり、そのナンバリングによって印字後における印字部分の識別やカウントが行えるようになる。
【００１３】
本発明の請求項４に係るテーププリンタは、請求項３のものにおいて、前記部分カット機構による前記印字テープのみの切断箇所を、前記ブロック内における印字部分とナンバリングデータとの間にも設定してある。
【００１４】
上記構成の請求項４に係るテーププリンタでは、請求項３のものと同様の作用を奏するが、区切れ個所によって区切られた各ブロックの印字テープにおいて、部分カット機構によってナンバリング部分と印字部分とも分断されるので、剥離テープから剥がしてラベル等を作成する場合に識別用のナンバリングが削除でき、必要となる印字データのみの状態で使用できるようになる。
【００１５】
本発明の請求項５に係るテーププリンタは、請求項４のものにおいて、切断部に、前記印刷用テープを切断する全カット機構を備えるとともに、前記区切れ箇所においては前記印刷用テープが切断されるように設定してある。
【００１６】
上記構成の請求項５に係るテーププリンタでは、請求項４のものと同様の作用を奏するが、印字データに基づいて印字された印字部分と、ナンバリングが付与された部分とで成るブロック毎が全カット機構によって分断されるようになり、ナンバリングが施された印字部分１組による１ブロック単位の印字済テープを複数連続形成できるようになる。
【００１７】
【発明の実施の形態】
以下に、本発明の実施の形態を図面に基づいて説明する。
【００１８】
図１はテーププリンタ１と、印字するためのテキストデータ等を作成するためのデータ作成装置２等を示す斜視図であり、文字や記号の入力キー、ＣＲＴ５のディスプレイ部分のカーソルを上下左右方向に移動させるカーソル移動キー、各種操作用キー等を備えたキーボード３及び座標入力装置（マウス）４と、文字等を複数行分表示可能なＣＲＴ５とを、制御本体装置（コンピュータ）６に接続線を介して夫々接続してあり、又、テーププリンタ１も制御本体装置６に接続線を介して接続してある。
【００１９】
次に、図２を参照しながらテーププリンタ１内の印刷機構について説明すると、テーププリンタ１のケース１ａ内のカセット収納部フレーム１７には、テープ収納カセット７が着脱自在に装着されている。このテープ収納カセット７内には、ＰＥＴフィルム等の透明な表層テープ８が巻装されたテープスプール９と、インクリボン１０が巻装されたリボン供給スプール１１と、インクリボン１０を巻取る巻取りスプール１２と、表層テープ８と同一幅で両面に接着剤層を有する両面接着テープ１３が剥離テープ１４を外側にして巻装された基材供給スプール１５と、両面接着テープ１３と表層テープ８とを重ねて接合させる接合ローラ１６とが回転自在に設けてある。そして、テープスプール９と接合ローラ１６とを駆動するテープ送りモータ４６を備えている。
【００２０】
カセット収納部フレーム１７から立設された印字部であるサーマルヘッド１８は、テープ収納カセット７の凹所１９に臨ませ、サーマルヘッド１８の箇所を表層テープ８とインクリボン１０とが重ねられた状態で通過し得る。カセット収納部フレーム１７から回動可能に立設されたローラホルダ２０に装着されたプラテンローラ２１がサーマルヘッド１８に向かって押圧され、ローラホルダ２０の先端側に装着された送りローラ２２には接合ローラ１６に向かって押圧される。
【００２１】
データ作成装置２によって作成された印字データに基づいて印字するときは、カセット収納部フレーム１７における駆動モータ２５を回転させて図示しないギヤ機構を介して巻取りスプール１２、送りローラ２２、接合ローラ１６を同期回転させる一方、サーマルヘッド１８における列状に並んだ発熱素子を選択的に通電駆動し、表層テープ８の裏面にインク２９のドット列を付着させて印字する。その後、表層テープ８の印字面に両面接着テープ１３が積層された印字済の印刷用テープ２４として切断部２３に送られる。
【００２２】
切断部２３は、印刷用テープ２４を完全に切断する全カット機構Ａと、後述の部分カット機構Ｂとで構成されている。全カット機構Ａは、固定刃２３ａと、この固定刃２３ａに対して回動によって遠近移動する可動刃２３ｂとで成る鋏構造のものであり、電動式の駆動機構２６によって可動刃２３ｂを回動操作することで印刷用テープ２４を切断するように構成してある。
【００２３】
図３は印字済の印刷用テープ２４の拡大断面図であり、ＰＥＴ（ポリエチレンフタレート）フィルム等の透明な表層テープ８の裏面に文字の鏡像にてインク２９のドット列が付着され、その裏面側を両面接着テープ１３における基材テープ１３ａの一方の面の接着剤層１３ｂで接合し、その裏面側が他方の面の接着剤層１３ｃを介して紙製の剥離テープ（剥離紙）１４で覆われていることになる。厚さＴ1の印字テープ２８とは、表層テープ８と剥離テープ（剥離紙）１４を除いた両面接着テープ１３との合体のことであり、両面接着テープ１３に既に一体化されている剥離紙が剥離テープ１４のことである（図４参照）。
【００２４】
図２に示すように、部分カット機構Ｂは、テーププリンタ１のケース１ａにおける排紙部２７と全カット機構Ａとの間に配置されている。図５〜図７に示すように、カセット収納部フレーム１７等に固定した金属製の厚板状の受台３３と、この受台３３に対してカシメピン３４を中心に回動可能に枢支された支持部材３５と、この支持部材３５にスポット溶接３７等によって固定された切断刃３６と、支持部材３５を回動させる駆動手段３８とから構成されている。
【００２５】
受台３３には、剥離テープ１４の厚さＴ2により僅かに小さい寸法Ｈ2に相当し、かつ、剥離テープ１４（印刷用テープ２４）の幅寸法より広幅の段差３９を形成してある。従って、受台３３の先端側と、カシメピン３４の近傍との端面には、段差３９の底面に対してこの段差３９と同じ高さＨ2を有した一対の段部３３ａ，３３ｂが形成される。他方、図７に示すように、支持部材３５にはその先端側に、一方の段部３３ａの一部に当接する足部３５ａからカシメピン３４の近傍に向かっては、印刷用テープ２４全体の厚さＴ3（＝Ｔ1＋Ｔ2）よりも深く、かつ、印刷用テープ２４の幅寸法よりも広幅の段差４０を形成してある。
【００２６】
図７に示すように、支持部材３５に切断刃３６を位置合わせして固定するには、受台３３の先端側の段部３３ａに支持部材３５先端側の足部３５ａが接当するようにカシメピン３４を中心にして回動させて閉じる。この状態で切断刃３６の刃先の両端部が一対の段部３３ａ，３３ｂに接当する位置で、切断刃３６を支持部材３５にスポット溶接３７や接着剤（図示せず）等にて固定する。これにより、切断刃３６の刃先と受台３３における段差３９との隙間は確実に平行状となるとともに、その隙間の寸法は段差３９の高さＨ2に等しくなるから、他の治具を用いることなく切断刃３６を支持部材３５に固定することが至極簡単に行え、しかも取付精度も格段に向上するようになる。
【００２７】
図５に示すように、切断刃３６、つまりは支持部材３５をカシメピン３４を中心として回動させる駆動手段３８は、正逆回転可能な電動モータ４１の動力を、ギヤ列４２を介してクランク４３を図５の反時計回り方向に回動させるときに、クランク４３に突設されたピン４４が支持部材３５に穿設された長溝４５に沿って移動することにより、支持部材３５を反時計回り方向に回動させる構造である。この場合、支持部材３５の足部３５ａが受台３３の段部３３ａに接当した後は、ギヤ列４２に介装された図示しない滑りクラッチにより、電動モータ４１に過負荷が生じないように構成されている。
【００２８】
そして、少なくとも支持部材３５に足部３５ａと切断刃３６の刃先の一端部が受台３３の段部３３ａに接当するときには、印刷用テープ２４の部分カットが完了するが、このとき同時に切断刃３６の他端部が受台３３の他方の段部３３ｂに接当しても良い。又、電動モータ４１を逆回転させて開くときは、その最大開き角度で電動モータ４１を停止させるように、図示しないリミットスイッチが支持部材３５の適宜箇所に接当して所定の信号を出力する。
【００２９】
このように、固定側の受台３３に対して回動中心（カシメピン３４）回りに支持部材３５及び切断刃３６を回動させて閉じるとき、切断刃３６の刃先と段差３９との隙間は、カシメピン３４に近い側から順に狭くなる。従って、印刷用テープ２４を一方の縁から順に切断刃３６の刃先が当たり、所謂鋏で印刷用テープ２４を切断するような状態になり、切断刃３６の刃先がテープ幅方向全体に亘って一挙に当たって切断する、所謂押し切り型のものに比べて駆動力が少なくて済み、駆動手段３８のコンパクト化や電動モータ４１の小出力化が可能である。
【００３０】
尚、印刷用テープ２４のうち、剥離テープ１４側を切り残すように部分カットするには、剥離テープ１４側が受台３３の段差３９の底面側となるようにして位置させて部分カット作業を行えば良い〔図８（ｂ）参照〕。逆に、剥離テープ１４のみを切断するには、表層テープ８を受台３３の段差３９の底面側に位置させて部分カット作業を行えば良い。
【００３１】
次に、テーププリンタの印刷制御装置について説明する。
【００３２】
図９に示すように、キーボード３とデータ作成装置２、サーマルヘッド１８の駆動回路１８ａ、テープ送りモータ４６の駆動回路４６ａ、全カット機構Ａの駆動機構２６、及び部分カット機構Ｂの駆動手段３８が制御装置４７に接続されている。制御装置４７には、区切れ検出手段４９、第１制御手段５０、ナンバリング発生・記憶手段５１、合成印字制御手段５２、第２制御手段５３、ハーフカット追加手段５４、全カット制御手段５５を備えてあり、キーボード３の操作によってタイプＩ〜タイプIVの印字済の印刷用テープ２４を選択して作成できるようになっている。尚、「ハーフカット」は、印字テープ２８のみ切断する部分カットと同義語である。
【００３３】
図１６、図１７に示すように、サーマルヘッド１８と全カット機構Ａの可動刃２３ｂとの間には、テープ送り方向にある程度の距離が形成されるとともに、全カット基機構Ａの可動刃２３ｂと部分カット機構Ｂの可動刃３５との間にも僅かな間隙が存在することになる。従って、印刷用テープ２４が全カットされた状態では、図１６に示すように、テープ先端が全カット機構Ａの位置にあって、その状態で印字部１８の印字が開始されることになり、それによって１回目の印字部分ｉに先立ってテープ先端に余白部分ｙが形成されるようになる。そして、この余白部分ｙは１回目の印字に先立つ非印字部分を含む。
【００３４】
区切れ検出手段４９は、印字部１８に印字データを出力するデータ作成装置（データ指令手段の一例）２と、このデータ作成装置２による印字データの区切れ箇所を検出するものであり、区切れ個所とは、所定の印字データの検出によって決定されるものや、印字データのない空白部分の検出によって決定されるものでも良く、その他の手段でも良い。
【００３５】
第１制御手段５０は、区切れ箇所の検出に基づいて印字テープ２８のみを切断する部分カット位置を自動設定するものであり、区切れ検出手段４９の情報と、予め入力された情報（例えば、区切れ個所の中央でハーフカットする等）とから部分カット機構Ｂで切断すべき個所を設定するものである。
【００３６】
ナンバリング発生・記憶手段５１は、所定法則に従って変更されるナンバリングデータを印字部１８の印字に先立って発生させて記憶するものであり、合成印字制御手段５２は、印字データとナンバリング発生・記憶手段５１に記憶されているナンバリングデータとを順次合成し、この合成したデータに基づいて区切れ箇所によって区切られたブロック毎に印字を繰返すものである。又、第２制御手段５３は、第１制御手段５０で設定された部分カット位置において印字テープ２８のみを切断させるように部分カット機構Ｂを作動制御するものである。
【００３７】
ハーフカット追加手段５４は、部分カット機構Ｂによる印字テープ２８のみの切断箇所を、ブロック内における印字部分とナンバリングデータとの間にも設定するものであり、全カット制御手段５５は、区切れ箇所においては印刷用テープ２４が切断されるように設定するものである。
【００３８】
なお、テキスト入力は図１８に示されるような画面で行い、ハーフカットの選択、および印刷オプションとしてのナンバリング付与の選択は、図１９，２０に示されるようなダイアログ画面で行うことができる。
【００３９】
図１０〜図１３に、切断制御によってテーププリンタ１で作成されたテープ例を示す。図１０のものは印字データによる印字部分（山田、佐藤、田中、鈴木）に先立って印字テープ用２９のみ切断される部分カットライン５６が形成されたものであり、区切れ検出手段４９と第１制御手段５０の作動によるものである。各印字部分は、剥離テープ１４から剥がすことによって名字のラベルとして使用することができる。
【００４０】
図１１に示すものは、１，２，３……等のカウント用としてのナンバリングが印字部分に先立って印字されたものであり、印字部分とナンバリングとで成るブロック毎に部分カットライン５６が形成さている。これは、区切れ検出手段４９、第１制御手段５０、ナンバリング発生・記憶手段５１、合成印字制御手段５２と第２制御手段５３の作動によるものである。
【００４１】
図１２に示すものは、図１１に示すものにおいて、ナンバリングと印字部分との間にも部分カットライン５６が形成されたものであり、上記各手段４９，５０，５１，５２，５３に加えてハーフカット追加手段５４も作動したことによる。又、図１３に示すものは、さらに全カット制御手段５５も作動したものであり、各ブロック毎に全カットライン５７が形成されている。
【００４２】
次に、印刷制御の作動手順を、図１４、１５に示すフローチャートを参照して説明する。尚、以後のＳｉ（ｉ＝１，２，３・・・）はフローチャートの各ステップ番号を示す。そして、このフローチャートが実行される前に、図１８に示すテキスト入力画面にて「山田」、「佐藤」、「田中」、「鈴木」等の文字列が入力されていると共に各文字列の間にタブコードが入力されているものとする。
【００４３】
図１４に示すように、先ず、図１９に示されるような印刷ダイアログ表示・印刷条件設定画面や図２０に示されるような  自動ナンバリング印刷や個別カット等の印刷オプションの設定ダイアログを表示して（Ｓ１）、使用者に設定させ、その設定結果を制御装置４７に通常備えられているＲＡＭ（図示略）に記憶する。
【００４４】
具体的には、図１９に示す画面において、使用者はマウス４を使用してハーフカットのチェックボックスをチャックするか、またはチェックせずにＯＫボタンをクリックすると、図２０の印刷オプションの設定画面が表示される。尚、ナンバリング印刷とは、設定した初期値を自動的に更新しつつ印字を行うものであり、個別カットとはナンバリング印刷された数字と印刷部分との間にハーフカットを行うものである。次に、使用者はマウス４を使用し、自分の希望に応じて自動ナンバリングや個別カットのチェックボックスをチェックし、また、キーボード３を使用してナンバリング初期値を入力した後、マウスを使用してＯＫボタンをクリックする。すると、制御装置４７は、チェックボックスのチェックの有無に応じて、自動ナンバリング印刷を行うか否か、個別カットを行うか否か、さらには自動ナンバリング印刷を行う場合にはその初期値をＲＡＭに記憶する。
【００４５】
次に、後述の印面分割処理（Ｓ２）を実行する。この印面分割処理は、図１５に示すように、カットマーク挿入処理のサブルーチンにより行われる。この処理において、制御装置４７は、先ず入力された文字のコードやタブコードを順次チェックしていくのであるが、チェックしていないコードがあるか否かを判断し（Ｓ２０）、チェックしていないコードがあれば（Ｓ２０：はい）、そのコードをチェックして、それがタブコードか否か判断する（Ｓ２１）。チェックしたコードがタブコードならば（Ｓ２１：はい）、制御装置４７は、タブコードのよるタブ送りの中心位置をカット位置としてＲＡＭに記憶する（Ｓ２２）。そして、次のコードをチェックし（Ｓ２３）、Ｓ２０へ戻る。また、Ｓ２１において、チェックしたコードがタブコードでなければ（Ｓ２１：いいえ）、Ｓ２３を行った後にＳ２０に戻る。Ｓ２０において、チェックしていないコードがなければ、即ち、入力されたコードを全てチェックしたならば、このカットマーク挿入処理を終了して、図１４のＳ３へ移行する。
【００４６】
次に制御装置４７は、テープ送りモータ４６及び部分カット機構Ｂを駆動して最初の余白部分のテープ送りとハーフカット処理（Ｓ３）を実行し、ＲＡＭに記憶されているナンバリング初期値に基づいてナンバリング番号の初期化（Ｓ４）を行う。
【００４７】
次に、制御装置４７は、ナンバリング印刷を行うか否かをＲＡＭの記憶内容に基づいて判断し（Ｓ５）、ナンバリング印刷を行う場合（Ｓ５：はい）、即ち、使用者が、図２０に示す印刷オプションの設定画面において、マウス４を使用して自動ナンバリング印刷のチェックボックスチェックを入力した場合には、サーマルヘッド１８及びテープ送り機構４６を駆動し、Ｓ４にて設定したナンバリング番号の初期値を非印刷部分に印刷すると共にテープ送りを行う（Ｓ６）。
【００４８】
次に、制御装置４７は、個別カットを行うか否かをＲＡＭの記憶内容に基づいて判断し（Ｓ６）、個別カット印刷を行う場合（Ｓ６：はい）、即ち、使用者が、図２０に示す印刷オプションの設定画面において、マウス４を使用して個別カットのチェックボックスチェックを入力した場合には、部分カット機構Ｂを駆動して、Ｓ６にて印刷された数字のテープ搬送方向の下流側にてハーフカットを行い、Ｓ９へ移行する。
【００４９】
一方、Ｓ５において、ナンバリング印刷行わないと設定されていれば（Ｓ５：いいえ）、Ｓ９へ移行する。
【００５０】
Ｓ９において、制御装置４７は、Ｓ２の印面分割処理において設定し、記憶しているカット位置までに入力されている文字列を、サーマルヘッド１８及びテープ送りモータ４６を駆動して印刷する（Ｓ９）。そして、まだ印刷していない文字列があるか否か判断し（Ｓ１０）、入力した文字列を全て印刷したならば（Ｓ１０：いいえ）、テープ送りモータ４６を駆動して印字の後端を全カット機構Ａまで送った後、全カット機構Ａを駆動して、印字テープ２８を全カットする。
【００５１】
一方、未印刷の文字列があれば（Ｓ１０：はい）、制御装置４７は、ハーフカットを行うか否か判断する（Ｓ１２）。図１９に示す画面において、使用者がハーフカットのチェックボックスにチェックをせずに、ＯＫボタンを押したならば、ハーフカットを行わず全カットを行うことが設定されているから（Ｓ１２：いいＷ）、テープ送りモータ４６を駆動して記憶しているカット位置を全カット機構Ａまで送った後、全カット機構Ａを駆動して、印字テープ２８を全カットする。
【００５２】
一方、使用者がハーフカットのチェックボックスにチェックを入力し、ＯＫボタンを押したならば、ハーフカットを行うことが設定さえているから（Ｓ１２：はい）、テープ送りモータ４６を駆動して印字の後端を部分カット機構Ｂまで送った後、部分カット機構Ｂを駆動して、印字テープ２８をハーフカットする（Ｓ１４）。
【００５３】
そして、次の文字列を印刷対象とし（Ｓ１５）、ナンバリング文字をインクリメントし（Ｓ１６）、前記Ｓ５に戻る。
【００５４】
使用者が、図１９、図２０に示す画面において、ハーフカットのチェックボックスのみにチェックを入力すると、制御装置４７は、印刷制御においてＳ１〜Ｓ５迄を実行し、Ｓ５において「いいえ」と判断してＳ９〜Ｓ１２を実行して文字列を印字し、Ｓ１２において「はい」と判断して、Ｓ１４においてハーフカットを行い、Ｓ１５、Ｓ１６を介してＳ５に戻る処理を行う。その結果、図１０に示す、印字データによる印字部分に先立って印字テープ用２９のみ切断される部分カットライン５６が形成されたもの、即ち、各文字列「山田」、「佐藤」、「田中」、「鈴木」の間にハーフカットが施された印字テープ２８が作成される。
【００５５】
また、使用者が、図１９、図２０に示す画面において、ハーフカット及び自動ナンバリング印刷のチェックボックスにチェックを入力すると、制御装置４７は、印刷制御においてＳ１〜Ｓ５迄を実行し、Ｓ５において「はい」と判断して、Ｓ６において非印字部分にナンバリング文字を印字し、Ｓ７において「いいえ」と判断して、Ｓ９〜Ｓ１２を実行して文字列を印字し、Ｓ１２において「はい」と判断して、Ｓ１４においてハーフカットを行い、Ｓ１５、Ｓ１６を介してＳ５に戻る処理を行う。その結果、図１１に示す、印字データによる印字部分に先立ってナンバリングの数字が印刷され、且つ、ナンバリングの数字と印字部分とで成るブロック毎に印字テープ用２９のみ切断される部分カットライン５６が形成されたもの、即ち、各文字列「山田」、「佐藤」、「田中」、「鈴木」の前にナンバリングの数字である１，２，３・・・が印字されると共に、ナンバリングの数字と文字列から成るブロック間にハーフカットが施された印字テープ２８が作成される。
【００５６】
また、使用者が、図１９，図２０に示す画面において、ハーフカット、自動ナンバリング印刷、個別カットの各々のチェックボックスにチェックを入れると、制御装置４７は、印刷制御においてＳ１〜Ｓ５迄を実行し、Ｓ５において「はい」と判断して、Ｓ６において非印字部分にナンバリング文字を印刷し、Ｓ７において「はい」と判断して、Ｓ８を実行してナンバリング文字の後ろにハーフカットを施し、Ｓ９〜Ｓ１２を実行して文字列を印字し、Ｓ１２において「はい」と判断して、Ｓ１４においてハーフカットを行い、Ｓ１５、Ｓ１６を介してＳ５に戻る処理を行う。その結果、図１２に示す、印字データによる印字部分に先立ってナンバリングの数字が印刷され、且つ、ナンバリングの数字と印字部分とで成るブロック毎に印字テープ用２９のみ切断される部分カットライン５６が形成され、さらに、ブロック内においてナンバリング文字と印字部分との間にもハーフカットを施したもの、即ち、各文字列「山田」、「佐藤」、「田中」、「鈴木」の前にナンバリングの数字である１，２，３・・・が印字されると共に、とナンバリングの数字と文字列から成るブロック間にハーフカットが施され、さらに、ブロック内においてもナンバリングの数字と文字列との間にハーフカットが施された印字テープ２８が作成される。
【００５７】
また、使用者が、図１９，図２０に示す画面において、自動ナンバリング印刷、個別カットの各々のチェックボックスにチェックを入れると、制御装置４７は、印刷制御においてＳ１〜Ｓ５迄を実行し、Ｓ５において「はい」と判断して、Ｓ６において非印字部分にナンバリング文字を印刷し、Ｓ７において「はい」と判断して、Ｓ８を実行してナンバリング文字の後ろにハーフカットを施し、Ｓ９〜Ｓ１２を実行して文字列を印字し、Ｓ１２において「いいえ」と判断して、Ｓ１４において全カットを行い、Ｓ１５、Ｓ１６を介してＳ５に戻る処理を行う。その結果、図１３に示す、印字データによる印字部分に先立ってナンバリングの数字が印刷され、且つ、ナンバリングの数字と印字部分とで成るブロック毎に印字テープ２８が切断される全カットライン５７が形成され、さらに、ブロック内においてナンバリング文字と印字部分との間にハーフカットを施したもの、即ち、各文字列「山田」、「佐藤」、「田中」、「鈴木」の前にナンバリングの数字である１，２，３・・・が印字されると共に、とナンバリングの数字と文字列から成るブロック毎に全カットが施されて、文字列毎の印字テープ２８が作成され、その印字テープ２８において、ブロック内においてナンバリングの数字と文字列との間にハーフカットが施された印字テープ２８が作成される。
【００５８】
このように、使用者が、図１９、図２０に示す画面において、各項目のチェックボックスに適宜チェックを入力することにより、図１０〜図１３に示すような各種印字テープ２９を作成することができる。
【００５９】
【発明の効果】
請求項１〜５のいずれに記載のテーププリンタでも、（イ）部分カットされるべき所である印字データの区切れ個所において自動的に部分カットされるようになり、印字テープが剥がし易い利点を有した部分カット機構を実際の使用状況に則した使いやすい便利な状態で用いることができる。
【００６０】
請求項３〜５のいずれに記載のテーププリンタでも、（ロ）印刷用テープに自動的にナンバリングが施されて識別やカウントが行えるので、印字済テープをラベル等の種々の用途により一層便利に使用できる。
【００６１】
請求項４に記載のテーププリンタでは、（ハ）上記（ロ）の効果を得ながらも、特別な操作を行うこと無くナンバリング部分の削除ができる扱い易い印字用テープを作成することができる。
【００６２】
請求項５に記載のテーププリンタでは、前記（ハ）の効果を得ながら、部分カット機構と全カット機構との組合わせ制御により、ナンバリングが施された印字部分毎に独立した印刷用テープを作成することができる。
【図面の簡単な説明】
【図１】  テーププリンタ及びデータ作成装置を示す図である
【図２】  カセット収納部の平面図である
【図３】  印刷用テープの拡大断面図である
【図４】  印刷用テープの部分断面図を示す斜視図である
【図５】  部分カット機構の正面図である
【図６】  切断刃を開いた状態の部分カット機構を示す正面図である
【図７】  切断刃の支持部材への固定状態を示す正面図である
【図８】  （ａ）は図６の、（ｂ）は図７の部分カット機構の要部断面図である
【図９】  テーププリンタの制御ブロック図である
【図１０】  タイプＩの印字後の印刷用テープを示す図である
【図１１】  タイプIIの印字後の印刷用テープを示す図である
【図１２】  タイプIIIの印字後の印刷用テープを示す図である
【図１３】  タイプIVの印字後の印刷用テープを示す図である
【図１４】  印刷制御の作動手順のフローチャートを示す図である
【図１５】  図１４のサブルーチンのフローチャートを示す図である
【図１６】  印刷用テープにおける余白部分、印字部分、非印字部分を示す図である
【図１７】  印字部と切断部との位置関係を示す側面図である
【図１８】  テキスト入力の例を示す図である。
【図１９】  ハーフカットの選択を行うダイアログ画面の例である
【図２０】  印刷オプションとしてのナンバリング付与の選択を行うダイアログ画面の例である。
【符号の説明】
１４  剥離テープ
１８  印字部
２３  切断部
２４  印刷用テープ
２８  印字テープ
４８  データ指令手段
４９  区切れ検出手段
５０  第１制御手段
５１  ナンバリング発生・記憶手段
５２  合成印字制御手段
５３  第２制御手段
【図１】
0003887938.tif 000002
【図２】
0003887938.tif 000003
【図３】
0003887938.tif 000004
【図４】
0003887938.tif 000005
【図５】
0003887938.tif 000006
【図６】
0003887938.tif 000007
【図７】
0003887938.tif 000008
【図８】
0003887938.tif 000009
【図９】
0003887938.tif 000010
【図１０】
0003887938.tif 000011
【図１１】
0003887938.tif 000012
【図１２】
0003887938.tif 000013
【図１３】
0003887938.tif 000014
【図１４】
0003887938.tif 000015
【図１５】
0003887938.tif 000016
【図１６】
0003887938.tif 000017
【図１７】
0003887938.tif 000018
【図１８】
0003887938.tif 000019
【図１９】
0003887938.tif 000020
【図２０】
0003887938.tif 000021